(57)【要約】【課題】電源「入」操作後の無音状態をなくし、補聴器装用者の聴力に合わせた補聴処理を違和感無く早く開始することができる補聴器を提供する。【解決手段】周囲音を取り込み入力音信号を取得するための集音部１０１と、入力音信号をデジタル入力信号に変換するＡ／Ｄ変換部１０２と、外部メモリ１０７からプログラム及び設定値を読み込み、デジタル入力信号に対して信号処理を行う補聴処理部１０３と、補聴処理部１０３で信号処理した信号をアナログ出力信号に変換するＤ／Ａ変換部１０４と、アナログ出力信号、又は、入力音信号を切り替えて、出力音信号として出力する音信号選択部１０５と、出力音信号を出力するための音出力部１０６とを備える。【選択図】図１
2011035684.tif 000002
【特許請求の範囲】
【請求項１】
耳に装着形状となった本体に、
周囲音を取り込み入力音信号に変換する集音部と、
この集音部で変換された入力音信号をデジタル入力信号に変換するＡ／Ｄ変換部と、
このＡ／Ｄ変換部で変換されたデジタル入力信号に対して前記本体内に設けられた外部メモリに格納されたプログラムに従って補聴処理を施す補聴処理部と、
この補聴処理部が出力するデジタル出力信号をアナログ出力信号に変換するＤ／Ａ変換部と、
このＤ／Ａ変換部で変換されたアナログ出力信号を外部へ出力するための音出力部とを備え、
前記Ｄ／Ａ変換部と前記音出力部の間に音信号選択部を介在させ、
この音信号選択部は前記集音部で変換された入力音信号と前記Ｄ／Ａ変換部で変換されたアナログ出力信号のどちらかを選択して前記音出力部へ出力する構成とした補聴器。
【請求項２】
前記音信号選択部はタイマーを備え、
前記本体の電源を投入した時から所定の時間が経過するまでは前記集音部が出力する入力音信号を選択し、
前記所定の時間が経過した後は前記Ｄ／Ａ変換部が出力するアナログ出力信号を選択する請求項１記載の補聴器。
【請求項３】
前記タイマーが有する所定の時間は、前記補聴処理部が正常動作を開始するまでの待ち時間であることを特徴とする請求項２記載の補聴器。
【請求項４】
前記補聴処理部は、前記音信号選択部の音声信号の選択を切り替えるための切替制御信号を補聴処理の開始にあわせて出力する機能をさらに備え、
前記本体の電源を投入した時から補聴処理部が正常動作を開始するまでは前記集音部が出力する入力音信号を選択し、
前記補聴処理部が正常動作を開始した後は前記Ｄ／Ａ変換部が出力するアナログ出力信号を選択することを特徴とする請求項１記載の補聴器。
【請求項５】
前記入力音信号を増幅するアナログ増幅部をさらに備えることを特徴とする請求項１から４のいずれか１項に記載の補聴器。
【請求項６】
前記アナログ増幅部で、前記入力音信号を増幅する増幅率は、補聴器装用者の個々の聴力にあわせて設定しておくことを特徴とする請求項５記載の補聴器。
【請求項７】
前記補聴処理部は、
特定の方向に補聴器の指向性を向けるように前記デジタル入力信号を合成した合成信号を出力する指向性合成部と、
前記合成信号を時間領域の信号から周波数領域の信号に変換して周波数帯域ごとの周波数信号を周波数信号群として出力する周波数分析部と、
前記周波数信号群の各帯域の周波数帯域それぞれについてパワー値を計算し、パワー値群として出力するパワー算出部と、
前記パワー値群に基づいて、周波数帯域ごとのゲインを算出し、ゲイン制御信号群を出力するゲイン制御部と、
前記周波数分析部から出力された周波数帯域ごとの周波数信号群に、前記ゲイン制御部から出力されたゲイン制御信号群を乗算して周波数信号のゲイン調整を行い、調整済周波数信号群として出力するゲイン調整部と、
前記ゲイン調整部から出力された調整済周波数信号群を、周波数領域の信号から時間領域の信号に変換する周波数合成部と、
を有し、
前記指向性合成部と前記周波数分析部と前記周波数合成部と前記ゲイン調整部を第１のグループ、前記パワー算出部を第２のグループ、前記ゲイン制御部を第３のグループとし、
第１のグループ、第２のグループ、第３のグループの順番で優先順位をつけ、順次起動させることを特徴とする請求項１から６のいずれか１項に記載の補聴器。
【請求項８】
前記ゲイン制御部は、
入力音信号を補聴器装用者の個々の聴力にあわせて増幅させるゲインを算出する聴覚補償処理部と、
前記聴覚補償処理以外の快適性を高める付加価値処理用のゲインを算出する付加価値処理部と、
前記聴覚補償処理部及び付加価値処理部で求めた複数のゲインから、前記ゲイン調整部で用いるゲイン制御信号群を算出するトータルゲイン算出部、
からなり、
前記聴覚補償処理部とトータルゲイン算出部、次に、付加価値処理部の順番で優先順位をつけ、順次起動させることを特徴とする請求項７記載の補聴器。
【請求項９】
前記補聴処理部は、ゲイン調整部が、周波数信号群にゲイン制御信号群を乗算し調整済周波数信号群として出力した回数をカウントし、所定回数を超えたタイミングで前記音信号選択部に切替制御信号を出力することを特徴とする請求項４に記載の補聴器。
【請求項１０】
前記補聴処理部は、ゲイン調整部が、ゲイン制御信号群を入力されたことを検知したタイミングで、前記音信号選択部に切替制御信号を出力することを特徴とする請求項４に記載の補聴器。
【請求項１１】
前記デジタル入力信号に対して信号処理を行いデジタル出力信号を生成する補聴処理以外の、データロギング、電池電圧検出、外部装置との通信処理、ボリューム調節処理、メンテナンス用の処理、のいずれか１つ以上を含む拡張処理を行う拡張処理部をさらに備え、
この拡張処理部は、前記補聴処理部の起動よりも後で起動させることを特徴とする請求項１から１０のいずれか１項に記載の補聴器。
【請求項１２】
前記補聴処理部及び拡張処理部は、各処理を起動させながら、次に優先順位の高い処理で用いるプログラム及び設定値を外部メモリから読み込み、プログラム及び設定値の読み込みが完了した時点で、読み込んだ新しい処理を起動することを特徴とする、請求項１から１１のいずれか１項に記載の補聴器。
【発明の詳細な説明】
【技術分野】
【０００１】
本発明は、補聴器にの起動技術に関する。
【背景技術】
【０００２】
近年の補聴器はデジタル化され、
使用者のニーズにあわせた多機能な補聴処理が可能となっている。このようなデジタル方式の補聴器は、電源が投入されるとＣＰＵが外部メモリに格納されたプログラムを読み込んで実行し、マイクロホンで集音した音にデジタル信号処理を施している（例えば、特許文献１参照）。
【先行技術文献】
【特許文献】
【０００３】
【特許文献１】特開２００３−７００９７号公報
【発明の概要】
【発明が解決しようとする課題】
【０００４】
上述のごとく、デジタル方式の補聴器は使用者のニーズに合わせた多機能な補聴処理が可能なので、使用者の利便性を向上させることが出来る。
しかしながら、電源を投入してからデジタル信号処理が有効になるまでの起動時間が長く、つまり立ち上がりが遅いという課題があった。例えば、リモコン等により電源を操作できる補聴器においては、補聴器装用者は人混みの中など周囲が騒がしい時には補聴器を耳に装着したままで、電源を「切」にすることがある。しかしこの状態で急に補聴の必要が発生して電源を「入」にしても、デジタル信号処理が有効になるまではスピーカーから音が出力されない無音状態が発生してしまう。
【０００５】
そこで本発明は、電源投入後の立ち上がりを早くすることのできる補聴器を提供することを目的とする。
【課題を解決するための手段】
【０００６】
前記従来の課題を解決するために、本発明の補聴器は、耳に装着形状となった本体に、
周囲音を取り込み入力音信号に変換する集音部と、この集音部で変換された入力音信号をデジタル入力信号に変換するＡ／Ｄ変換部と、このＡ／Ｄ変換部で変換されたデジタル入力信号に対して前記本体内に設けられた外部メモリに格納されたプログラムに従って補聴処理を施す補聴処理部と、この補聴処理部が出力するデジタル出力信号をアナログ出力信号に変換するＤ／Ａ変換部と、このＤ／Ａ変換部で変換されたアナログ出力信号を外部へ出力するための音出力部とを備え、前記Ｄ／Ａ変換部と前記音出力部の間に音信号選択部を介在させ、この音信号選択部は前記集音部で変換された入力音信号と前記Ｄ／Ａ変換部で変換されたアナログ出力信号のどちらかを選択して前記音出力部へ出力する構成としたとしたことを特徴としたものである。
【発明の効果】
【０００７】
本発明の補聴器によれば、電源を投入してからデジタル信号処理が有効になるまでの間はデジタル信号処理を施していない音をスピーカーから出力するようにしたことで、電源投入後の立ち上がりを早くすることができ、延いては、補聴器を耳に装着したまま電源を「入」にしても、違和感無く早く開始することができる補聴器を提供できる。
【図面の簡単な説明】
【０００８】
【図１】本発明の実施の形態１における補聴器のブロック図
【図２】本発明の実施の形態１における補聴処理部の詳細なブロック図
【図３】本発明の実施の形態１におけるゲイン制御部の詳細なブロック図
【図４】本発明の実施の形態１における音信号選択部の詳細なブロック図
【図５】本発明の実施の形態１における補聴処理部の起動を説明するフローチャート
【図６】本発明の実施の形態１におけるアナログ増幅部を追加した補聴器のブロック図
【図７】本発明の実施の形態２における補聴器のブロック図
【図８】本発明の実施の形態２における補聴処理部の詳細なブロック図
【図９】本発明の実施の形態２における音信号選択部の詳細なブロック図
【図１０】本発明の実施の形態２における補聴処理部の起動を説明するフローチャート
【図１１】本発明の実施の形態２におけるアナログ増幅部を追加した補聴器のブロック図
【発明を実施するための形態】
【０００９】
以下に、本発明の補聴器の実施の形態を図面とともに詳細に説明する。
（実施の形態１）
図１は、本発明の第１の実施の形態における補聴器のブロック図を示す。
図１において、本実施の形態の補聴器は、集音部１０１と、Ａ／Ｄ（Ａｎａｌｏｇ  ｔｏ  Ｄｉｇｉｔａｌ）変換部１０２と、補聴処理部１０３と、Ｄ／Ａ（Ｄｉｇｉｔａｌ  ｔｏ  Ａｎａｌｏｇ）変換部１０４と、音信号選択部１０５と、音出力部１０６と、外部メモリ１０７で構成される。
【００１０】
集音部１０１は、補聴器本体に設けられた音口とこの音口に入ってきた周囲音を集音するマイクロホンで構成される。マイクロホンは集音した音響信号をアナログの電気信号に変換して出力する。本実施の形態では、集音部１０１には補聴器装用者に指向性を提供するために音口とマイクロホンが２組備えられ、それぞれ入力音信号１１１ａと１１１ｂを出力する。
【００１１】
Ａ／Ｄ変換部１０２は集音部１０１が出力する入力音信号１１１ａ、１１１ｂをそれぞれデジタルサンプリングし、デジタル入力信号１１２ａ、１１２ｂとして補聴処理部１０３へ出力する。
【００１２】
補聴処理部１０３は、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等で構成される外部メモリ１０７からプログラム及び設定値１１３を読み込み、プログラムの手順及び設定値に従いデジタル入力信号１１２ａ、１１２ｂに対して補聴器装用者の聴力に合わせた信号処理を行い、信号処理したデジタル出力信号１１４をＤ／Ａ変換部１０４に出力する。
【００１３】
Ｄ／Ａ変換部１０４は、補聴処理部１０３から出力されたデジタル出力信号１１４をＤ／Ａ変換してアナログ出力信号１１５を生成し、生成したアナログ出力信号１１５を、音信号選択部１０５に出力する。
【００１４】
音信号選択部１０５は、集音部１０１から出力される入力音信号１１１ｂ、又は、Ｄ／Ａ変換部１０４から出力されるデジタル出力信号１１５のどちらかを選択し、音出力部１０６へ出力音信号１１６として出力する。ここで、音信号選択部１０５に入力するのは入力音信号１１１ｂの代わりに入力音信号１１１ａであっても良い。集音部１０１が指向性を提供するために２つのマイクロホンを備えている場合には、マイクロホンは補聴器装用者の前方と後方に並んで配置される。補聴器装用者の前方から届く音に注意を向けるようにするためには、前方のマイクロホンでアナログ信号に変換された入力音信号を音信号選択部１０５に入力するようにすれば良い。
【００１５】
音出力部１０６は、導音口とスピーカーで構成される。スピーカーは音信号選択部１０５が出力する出力音信号１１６を音響信号に変換して出力する。補聴器が耳あな型の場合には、導音口はスピーカーが出力する音響信号を補聴器本体の外へ導くように設けられた孔である。補聴器が耳かけ型の場合には、導音口は補聴器が出力する音を補聴器装用者の耳に導くチューブの中に設けられた導音路と接続する孔である。
【００１６】
次に、図２を用いて、補聴処理部１０３について詳細に説明する。図２は、補聴処理部１０３の構成を示すブロック図である。図２に示す通り補聴処理部１０３は、指向性合成部２０１と、周波数分析部２０２と、パワー算出部２０３と、ゲイン制御部２０４と、ゲイン調整部２０５と、周波数合成部２０６とで構成される。
【００１７】
この補聴処理部１０３はＤＳＰ （Ｄｉｇｉｔａｌ  Ｓｉｇｎａｌ  Ｐｒｏｃｅｓｓｏｒ）で構成され、このＤＳＰは補聴器の電源部（図示しない）において電源が投入されると起動し、まず外部メモリ１０７に記憶されたプログラムと設定値を読み出して実行し、指向性合成部２０１と周波数分析部２０２とパワー算出部２０３とゲイン制御部２０４とゲイン調整部２０５と周波数合成部２０６の各ブロックを形成（起動）する。そして、各ブロックを補聴器装用者の補聴特性に合わせて設定し、補聴処理を開始する。
【００１８】
上述のようにＤＳＰは、プログラムの読み出し、実行、パラメータ設定を行った後に補聴処理が正常に開始される。通常、補聴処理が開始されて出力が安定するまでは、異常音を発生させないために、デジタル出力信号１１４を出力しない待ち時間が発生する。補聴処理が開始されるまでの時間はＣＰＵやメモリアクセスの速度によって決定される。
【００１９】
指向性合成部２０１は、補聴器装用者に対して特定の方向からの音を拡大する、即ち特定の方向に補聴器の指向性を向けるようにデジタル入力信号１１２ａ、１１２ｂを加工して合成する。合成された信号は合成信号２１１として周波数分析部２０２へ出力される。この指向性合成部２０１は複数の適応フィルタと加算器で構成され、その演算係数を変更することで任意の向きに指向性を向けることが可能である。また全方向の音が均等に聞こえる無指向とすることも出来る。
【００２０】
周波数分析部２０２は、時系列に入力される合成信号２１１を、時間領域の信号から周波数領域の信号に変換して、複数の周波数帯域に分割して周波数信号群２１２として出力する。この方法としては、フーリエ変換した結果を分割する方法、またはサブバンド分割方法が用いられる。分割は、補聴器が扱う周波数の上限から下限の間を複数に分けることで行われ、例えば、１０チャンネル（または１０バンド）対応の補聴器であれば、補聴器が扱う周波数領域が１０分割される。そして、それぞれの周波数帯域毎に周波数信号を出力する。周波数分析部２０２はこの１０個の周波数信号を周波数信号群２１２として出力する。
【００２１】
パワー算出部 ２０３は、周波数分析部２０２から出力される周波数信号群２１２の各帯域の周波数帯域それぞれについてパワー値を計算する。ここでパワー値とは周波数分析部２０２に入力された信号の電力であり、集音部１０１に入力される音響信号の音圧レベルと相関を有する。即ち、音圧レベルが小さければパワー値は小さく、音圧レベルが大きければパワー値は大きくなる。計算された各周波数帯域のパワー値はパワー値群２１３としてゲイン制御部２０４へと出力される。
【００２２】
ゲイン制御部２０４は、パワー算出部２０３から出力されたパワー値群２１３に基づいて、各帯域の周波数信号に対するゲインを決定する。決定されたゲインはまとめられゲイン制御信号群２１４としてゲイン調整部２０５に出力される。ゲイン制御部２０４の詳細については後述する。
【００２３】
ゲイン調整部２０５は、周波数分析部２０２から出力された周波数帯域ごとの周波数信号群２１２に、ゲイン制御部２０４から出力されたゲイン制御信号群２１４を乗算して周波数信号のゲイン調整を行う。ゲイン調整が施された周波数信号は調整済周波数信号群２１５として、周波数合成部２０６に出力される。
【００２４】
周波数合成部２０６は、分割された調整済周波数信号群２１５を合わせて周波数領域の信号から時間領域の信号に変換する。周波数合成は、周波数分析がフーリエ変換の場合は逆フーリエ変換で、サブバンド分割の場合はサブバンド合成によって行われる。そして、周波数合成された信号はデジタル出力信号１１４として出力される。
【００２５】
さらに図３を用いて、ゲイン制御部２０４について詳細に説明する。図３は、ゲイン制御部２０４の構成を示すブロック図である。ゲイン制御部２０４は、聴覚補償処理部３０１と、付加価値処理部３０２と、トータルゲイン決定部３０３で構成される。
【００２６】
聴覚補償処理部３０１では、パワー値群２１３に基づいて各帯域の周波数信号に対するゲインを決定する。ゲインの決定には、ゲインテーブルが用いられる。聴覚のダイナミックレンジは補聴器装用者によって異なり、入力される音響信号の音圧レベルに対して、その補聴器装用者に応じた非線形なゲイン調整が必要となる。そこで、予めオージオグラム等で求めた補聴器装用者に必要なゲイン特性を入力音圧レベル即ちパワー値毎に定めたゲインテーブルを作成する。聴覚補償処理部４０１は全ての周波数帯域についてこのゲインテーブルを備え、パワー値群２１３が入力されるとゲインテーブルを参照して対応するゲインを決定する。そしてこれらは聴覚補償ゲイン群３１１としてトータルゲイン決定部３０３へと出力される。
【００２７】
付加価値処理部３０２では、聴覚補償処理以外の快適性を高める付加価値処理用のゲインを求め、付加価値ゲイン群３１２としてトータルゲイン決定部３０３に出力する。具体的には、使用環境下や装用状態の変化に自動的に適応するための、ハウリング抑圧や、雑音抑圧、また、風雑音抑圧処理などを行い、ハウリングや雑音が起こっている周波数の音を抑えるようなゲイン値を算出する。これらは、パワー算出部２０３が出力する各周波数帯域のパワー値の時間変化を監視することで判別可能である。例えば、特定の周波数帯域のみパワー値が大きい状態が数秒間連続している場合にはハウリングが発生していると判定して、ハウリング抑圧のためのゲイン値を算出する。
【００２８】
トータルゲイン決定部３０３は、聴覚補償処理部３０１から出力される聴覚補償ゲイン群３１１と付加価値処理部３０２からから出力される付加価値ゲイン群３１２を、周波数帯域毎に乗算し、複数のゲイン値をまとめてゲイン制御信号群２１４を出力する。後述する起動処理の途中において、聴覚補償処理部３０１のみが起動している間は、聴覚補償ゲイン群３１１のみを制御信号群２１４として出力する。
【００２９】
次に、音信号選択部１０５について詳細に説明する。図４は音信号選択部１０５のブロック構成を示したもので、音信号選択部１０５はスイッチ４０１とスイッチ制御部４０２で構成される。本実施の形態においては、スイッチ制御部４０２はタイマーである。このタイマーは補聴器に電源が投入されるとカウントを開始し、所定の時間が経過したら切替制御信号４１１を有効にする。
【００３０】
スイッチ４０１は、補聴器の電源が投入されると入力音信号１１１ｂを選択するように初期化される。そして切替制御信号４１１が一旦有効になると、アナログ出力信号１１５を選択するように切り替わる。その後は補聴器の電源が遮断されるまでアナログ出力信号１１５を選択して出力音信号１１６として出力する。
【００３１】
即ち音信号選択部１０５は、補聴器の電源が投入されると、まず入力音信号１１１ｂを選択し、所定の時間が経過した後はアナログ出力信号１１５を選択して出力音信号１１６として出力する。ここで所定の時間として、前述した補聴処理部１０３を構成するＤＳＰが起動してからプログラムを読み出して補聴処理を開始するまでの待ち時間を設定する。
すると、補聴処理部１０３において補聴器装用者の補聴特性に合わせた補聴処理が有効になるまでは、集音部１０１が集音した音響信号が音出力部１０６から出力されるように出来て、電源を投入した時点から補聴器装用者に音を提供することが出来る。なお、所定の時間として聴覚補償処理部３０１とトータルゲイン決定部３０３が起動するまでの時間を設定すれば、より早く補聴処理を施した音を出力することが出来る。
【００３２】
ここで、補聴処理部１０３の起動処理について、図５を用いて説明する。図５は起動処理の手順を示したフローチャートである。補聴処理部１０３の起動にあたっては、補聴処理部１０３の構成要素を３つのグループに分ける。指向性合成部２０１と周波数分析部２０２とゲイン調整部２０５と周波数合成部２０６が第１のグループに属し、パワー算出部２０３が第２のグループに属し、ゲイン制御部２０４を構成する聴覚補償処理部３０１と付加価値処理部３０２とトータルゲイン決定部３０３が第３のグループに属する。
【００３３】
ステップＳ１０１において補聴器の電源が投入されると、ＤＳＰはまず外部メモリ１０７から第１のグループのプログラム及び設定値を読み込む（ステップＳ１０２）。次に、読み込んだ第１のグループを起動（ステップＳ１０３）しつつ、外部メモリ１０７から第２のグループのプログラム及び設定値を読み込む（ステップＳ１０４）。そして、読み込んだ第２のグループを起動（ステップＳ１０５）しつつ、外部メモリ１０７から第３のグループのプログラム及び設定値を読み込む（ステップＳ１０６）。
【００３４】
ステップＳ１０７では、第３のグループのうち聴覚補償処理部３０１とトータルゲイン決定部３０３の起動を行う。そして聴覚補償処理部３０１とトータルゲイン決定部３０３の起動が完了すると、周波数合成部２０６は補聴処理されたデジタル出力信号１１４の出力を開始する（ステップＳ１０８）。それと並行して、付加価値処理部３０２を起動する（ステップ１０９）。最後に付加価値処理部３０２が起動した後に、トータルゲイン決定部３０３は付加価値処理部３０２の出力を反映したゲイン制御を開始する（Ｓ１１０）。
【００３５】
音信号選択部１０５においては、スイッチ制御部４０２を構成するタイマーに基づいてスイッチ４０１を入力音信号１１１ｂの選択からアナログ出力信号１１５の選択に切り替えるタイミングを、周波数合成部２０６が補聴処理されたデジタル出力信号１１４の出力を開始するステップＳ１０８にあわせれば良い。このようにすれば、より早く補聴処理を施した音を補聴器装用者に提供することが出来る。
【００３６】
以上のように、本実施の形態１においては、音信号選択部１０５を設け、補聴器の電源を投入してからＤＳＰで補聴処理が開始されるまでは集音した音響信号をそのまま出力するようにしたため、電源投入後の立ち上がりを早くすることが出来る。
【００３７】
なお、図６に示すように集音部１０１と音信号選択部１０５の間にアナログ増幅部１０８を介在させるようにしても良い。アナログ増幅部１０８は、集音部１０１から出力された入力音信号１１１ｂを所定の倍率で増幅し、アナログ増幅信号１１７として音信号選択部１０５に出力する。
【００３８】
例えばアナログ増幅部１０８は、オペアンプを用いた増幅回路で構成される。この増幅回路は入力音信号１１１ｂの全ての周波数成分を一律に増幅する。この時の増幅率は、補聴器装用者の個々の聴力にあわせて予め設定しておけばよい。ここで、増幅回路の回路定数を変更することにより、増幅率を調整出来るようにしても良い。この場合、回路定数は、補聴器のフィッティングを行う際にフィッティング装置を用いて調整したり、補聴器本体に配置したボリュームを用いて調整したり出来るようにする。
【００３９】
また、実施の形態１の構成に、さらに、デジタル入力信号１１２ａ、１１２ｂに対して信号処理を行う補聴処理以外の拡張処理を行う拡張処理部を追加してもよい。拡張処理部で行う拡張処理は、例えば、補聴器の動作状態等のログを残すためのデータロギング、電池残量が少なくなった場合警告を発生させるための電池電圧検出、フィッティング装置等でＥＥＰＲＯＭに外部からデータをダウンロードしたり、外部にデータを出力したりするための通信処理、ボリューム調節処理、検査音を発生させたり、セルフチェック等を行うメンテナンス用の処理がある。
【００４０】
この時拡張処理部の起動は、補聴処理を早く開始させるために、補聴処理部１０３の全ての処理が起動したあとに起動を開始させて、補聴処理が開始された後に有効になるようにする。
（実施の形態２）
図７は、本発明の実施の形態２の補聴器のブロック図を示す。
【００４１】
図７に示す補聴器は、集音部１０１と、Ａ／Ｄ（Ａｎａｌｏｇ  ｔｏ  Ｄｉｇｉｔａｌ）変換部１０２と、補聴処理部７０３と、Ｄ／Ａ（Ｄｉｇｉｔａｌ  ｔｏ  Ａｎａｌｏｇ）変換部１０４と、音信号選択部７０５と、音出力部１０６と、外部メモリ１０７で構成される。
【００４２】
図１に示す実施の形態１で説明したのと同じ構成のものについては同じ符号を付し、説明を省略する。図１に示す実施の形態１の補聴器の構成と異なるところは、補聴処理部７０３から出力される切替制御信号７１１に応じて、音信号選択部７０５で、入力音信号１１１ｂの選択からアナログ出力信号１１５の選択に切り替えて、出力音信号１１６として出力するようにした点である。このように、補聴処理部７０３から切替制御信号７１１を出力することで、補聴処理が開始されるタイミングにあわせて、精度良く、出力音声信号１１６を切り替えることができる。
【００４３】
次に、図８を用いて、補聴処理部７０３について詳細に説明する。図８は、補聴処理部７０３のブロック構成を示したもので、指向性合成部２０１と、周波数分析部２０２と、パワー算出部２０３と、ゲイン制御部２０４と、ゲイン調整部８０５と、周波数合成部２０６で構成される。図２に示す実施の形態１で説明したのと同じ構成のものについては同じ符号を付し、説明を省略する。
【００４４】
ゲイン調整部８０５は、図２に示すゲイン調整部２０５と同様に、周波数分析部２０２から出力された周波数帯域ごとの周波数信号群２１２に、ゲイン制御部２０４から出力されたゲイン制御信号群２１４を乗算して周波数信号のゲイン調整を行い、ゲイン調整が施された周波数信号を調整済周波数信号群２１５として、周波数合成部２０６に出力する。さらに、ゲイン調整部８０５では、補聴器装用者に合わせたゲイン調整が施された音信号を出力することが可能となったタイミングで、切替制御信号７１１を有効にする。この、切替制御信号７１１を有効にするタイミングは、例えば、周波数信号群２１２にゲイン制御信号群２１４を乗算し調整済周波数信号群２１５として出力した回数をカウントし、所定回数を超えたタイミングとすることができる。所定回数は、補聴処理部７０３の各ブロックが正常動作するまでの回数を設定する。または、ゲイン制御部２０４からのゲイン制御信号群２１４が入力されたことを検知したタイミングとすることもできる。
【００４５】
次に、図９を用いて、音信号選択部７０５について詳細に説明する。図９は、音信号選択部７０５のブロック構成を示したもので、スイッチ４０１で構成される。
【００４６】
スイッチ４０１は、補聴器の電源が投入されると入力音信号１１１ｂを選択するように初期化される。そして切替制御信号７１１が一旦有効になると、アナログ出力信号１１５を選択するように切り替わる。その後は補聴器の電源が遮断されるまでアナログ出力信号１１５を選択して出力音信号１１６として出力する。
【００４７】
即ち音信号選択部１０５は、補聴器の電源が投入されると、まず入力音信号１１１ｂを選択し、補聴処理部７０３からの切替制御信号７１１が有効になった後はアナログ出力信号１１５を選択して出力音信号１１６として出力する。
【００４８】
これにより、補聴処理部７０３において補聴器装用者の補聴特性に合わせた補聴処理が有効になるまでは、集音部１０１が集音した音響信号が音出力部１０６から出力されるように出来て、電源を投入した時点から補聴器装用者に音を提供することが出来る。
【００４９】
ここで、補聴処理部７０３の起動処理について、図１０を用いて説明する。図１０は起動処理の手順を示したフローチャートである。補聴処理部７０３の起動にあたっては、補聴処理部７０３の構成要素を実施の形態１と同様に３つのグループに分ける。指向性合成部２０１と周波数分析部２０２とゲイン調整部７０５と周波数合成部２０６が第１のグループに属し、パワー算出部２０３が第２のグループに属し、ゲイン制御部２０４を構成する聴覚補償処理部３０１と付加価値処理部３０２とトータルゲイン決定部３０３が第３のグループに属する。
【００５０】
ステップＳ２０１において補聴器の電源が投入されると、ＤＳＰはまず外部メモリ１０７から第１のグループのプログラム及び設定値を読み込む（ステップＳ２０２）。次に、読み込んだ第１のグループを起動（ステップＳ２０３）しつつ、外部メモリ１０７から第２のグループのプログラム及び設定値を読み込む（ステップＳ２０４）。そして、読み込んだ第２のグループを起動（ステップＳ２０５）しつつ、外部メモリ１０７から第３のグループのプログラム及び設定値を読み込む（ステップＳ２０６）。
【００５１】
ステップＳ２０７では、第３のグループのうち聴覚補償処理部３０１とトータルゲイン決定部３０３の起動を行う。そして聴覚補償処理部３０１とトータルゲイン決定部３０３の起動が完了すると、周波数合成部２０６は補聴処理されたデジタル出力信号１１４の出力を開始する（ステップＳ２０８）。そして、切替制御信号７１１を有効にする（ステップ２０９）。また、それと並行して、付加価値処理部３０２を起動する（ステップ２１０）。最後に付加価値処理部３０２が起動した後に、トータルゲイン決定部３０３は付加価値処理部３０２の出力を反映したゲイン制御を開始する（Ｓ２１１）。
【００５２】
以上のように、本実施の形態２においては、音信号選択部７０５を設け、補聴器の電源を投入してからＤＳＰで補聴処理が開始されるまでは集音した音響信号をそのまま出力し、補聴処理部７０３からの切替制御信号７１１に応じて、補聴処理を施した音響信号を出力するようにしたため、電源投入後の立ち上がりを早くし、精度良く補聴処理が開始されたタイミングで補聴特性に合わせた音響信号に切り替えることが出来る。
【００５３】
なお、図１１に示すように、図６に示す実施の形態１の構成と同様に、集音部１０１と音信号選択部７０５の間にアナログ増幅部１０８を介在させるようにしても良い。アナログ増幅部１０８は、集音部１０１から出力された入力音信号１１１ｂを所定の倍率で増幅し、アナログ増幅信号１１７として音信号選択部７０５に出力する。
【００５４】
また、実施の形態２の構成に、さらに、実施の形態１と同様な、デジタル入力信号１１２ａ、１１２ｂに対して信号処理を行う補聴処理以外の拡張処理を行う拡張処理部を追加してもよい。この時拡張処理部の起動は、補聴処理を早く開始させるために、補聴処理部７０３の全ての処理が起動したあとに起動を開始させて、補聴処理が開始された後に有効になるようにする。
【産業上の利用可能性】
【００５５】
本発明にかかる補聴器は、電源を「入」にした後の無音状態をなくし、補聴器装用者の聴力に合わせた補聴処理を早く開始することができるという効果を有し、特に、補聴器を耳に装着したままリモコン等で電源操作が行える補聴器に有用である。
【符号の説明】
【００５６】
１０１  集音部
１０２  Ａ／Ｄ変換部
１０３  補聴処理部
１０４  Ｄ／Ａ変換部
１０５  音信号選択部
１０６  音出力部
１０７  外部メモリ
１０８  アナログ増幅部
１１１ａ  入力音声信号
１１１ｂ  入力音声信号
１１２ａ  デジタル入力信号
１１２ｂ  デジタル入力信号
１１３  プログラム及び設定値
１１４  デジタル出力信号
１１５  アナログ出力信号
１１６  出力音信号
１１７  アナログ増幅信号
２０１  指向性合成部
２０２  周波数分析部
２０３  パワー算出部
２０４  ゲイン制御部
２０５  ゲイン調整部
２０６  周波数合成部
２１１  合成信号
２１２  周波数信号群
２１３  パワー値群
２１４  ゲイン制御信号群
２１５  調整済周波数信号群
３０１  聴覚補償処理部
３０２  付加価値処理部
３０３  トータルゲイン決定部
３１１  聴覚補償ゲイン群
３１２  付加価値ゲイン群
４０１  スイッチ
４０２  スイッチ制御部
４１１  切替制御信号
７０３  補聴処理部
７０５  音信号選択部
７１１  切替制御信号
８０５  ゲイン調整部
【図１】
2011035684.tif 000003
【図２】
2011035684.tif 000004
【図３】
2011035684.tif 000005
【図４】
2011035684.tif 000006
【図５】
2011035684.tif 000007
【図６】
2011035684.tif 000008
【図７】
2011035684.tif 000009
【図８】
2011035684.tif 000010
【図９】
2011035684.tif 000011
【図１０】
2011035684.tif 000012
【図１１】
2011035684.tif 000013